(57)【要約】【課題】移動可能に設置する場合には投射姿勢の調整を簡易に行うことができ、固定設置の場合にはサイズや重量の増加を確実に回避できるプロジェクター等を提供すること。【解決手段】天吊り等の固定設置の際には、プロジェクター本体１０ａから姿勢調節装置１４を内蔵した台座ユニット１０ｂを分離するので、プロジェクター１０のサイズや重量を低減できる。また、机、床等の上に載置する可動設置の際には、位置決め装置１７を利用してプロジェクター本体１０ａに対して台座ユニット１０ｂすなわち姿勢調節装置１４を適正な状態で組み合わせることができ、台座ユニット１０ｂすなわち姿勢調節装置１４を組み合わせた後は、姿勢調節装置１４によってプロジェクター本体１０ａの投射姿勢を所望の状態に安定して調整することができる。【選択図】図１
2010186119.tif 000002
【特許請求の範囲】
【請求項１】
光束を出射する光源と、前記光源から出射された光束を画像情報に応じて変調して画像を形成するライトバルブと、前記ライトバルブで形成された画像を投射する投射光学系とを有するプロジェクター本体と、
前記プロジェクター本体によって投射を行う際の姿勢を調節するための姿勢調節装置と、
前記プロジェクター本体と前記姿勢調節装置とを組み合わせる際に、前記姿勢調節装置を前記プロジェクター本体に対して位置決めする位置決め装置と、
を備えるプロジェクター。
【請求項２】
前記姿勢調節装置は、前記プロジェクター本体の載置場所において前記プロジェクター本体の傾斜姿勢を調節する、請求項１に記載のプロジェクター。
【請求項３】
前記姿勢調節装置を前記プロジェクター本体に固定するための固定装置を備える、請求項１又は請求項２に記載のプロジェクター。
【請求項４】
前記固定装置のうち前記プロジェクター本体側の部分は、前記プロジェクター本体を固定的に設置する際に前記プロジェクター本体を支持する支持金具の取り付けに兼用される、請求項１から請求項３までのいずれか一項に記載のプロジェクター。
【請求項５】
光束を出射する光源と、前記光源から出射された光束を画像情報に応じて変調して画像を形成するライトバルブと、前記ライトバルブで形成された画像を投射する投射光学系とを有する本体光学装置と、
前記本体光学装置を収納するとともに、前記本体光学装置によって投射を行う際の姿勢を調節するための姿勢調節装置を着脱可能に固定するための固定部材と、前記姿勢調節装置を前記本体光学装置に対して位置決めするための位置決め部材とを有するケース部と、
を備えるプロジェクター本体。
【請求項６】
請求項１から請求項５までのいずれか一項に記載のプロジェクター本体に着脱可能で、前記姿勢調節装置と前記位置決め装置を一体化してなるプロジェクター台座ユニット。
【発明の詳細な説明】
【技術分野】
【０００１】
本発明は、例えば液晶ライトバルブ等によって形成した画像をスクリーン上に投射するプロジェクター、並びに、これを構成するプロジェクター本体及び台座ユニットに関する。
【背景技術】
【０００２】
従来、プロジェクターには、投射姿勢を調節するためチルト装置が内蔵されている。このチルト装置は、伸縮自在に形成された複数のフットを有しており、これらのフットを縮めた状態では、これらフットの根元側がケース内に埋め込まれるように収納される（特許文献１参照）。
【先行技術文献】
【特許文献】
【０００３】
【特許文献１】特開２００３−２１８６６号公報
【発明の概要】
【発明が解決しようとする課題】
【０００４】
近年、投射距離の非常に短い短焦点プロジェクターが登場してきているが、短焦点であることに起因して、投射姿勢の調整が非常に難しくなっている。そのため、チルト装置に精度や安定性が要求されるので、プロジェクターの製品サイズの肥大化、重量の増加等を招いている。しかも、このような短焦点プロジェクターは、その多くが天吊り、壁面支持等の固定状態で設置され使用されるので、このような固定設置の場合、利用されていないチルト装置によって製品サイズや製品重量が不必要に増加していることになる。
【０００５】
そこで、本発明は、移動可能に設置する場合には投射姿勢の調整を簡易に行うことができ、固定設置の場合にはサイズや重量の増加を確実に回避できるプロジェクター等を提供することを目的とする。
【課題を解決するための手段】
【０００６】
上記課題を解決するため、本発明に係るプロジェクターは、光束を出射する光源と、光源から出射された光束を画像情報に応じて変調して画像を形成するライトバルブと、ライトバルブで形成された画像を投射する投射光学系とを有するプロジェクター本体と、プロジェクター本体によって投射を行う際の姿勢を調節するための姿勢調節装置と、プロジェクター本体と姿勢調節装置とを組み合わせる際に姿勢調節装置をプロジェクター本体に対して位置決めする位置決め装置と、を備える。
【０００７】
上記プロジェクターによれば、天吊り等の固定設置の際には、プロジェクター本体から姿勢調節装置を分離できるので、プロジェクターのサイズや重量を低減できる。また、机、床等の上に載置する可動設置の際には、位置決め装置を利用することによりプロジェクター本体に対して姿勢調節装置を適正な状態で組み合わせることができ、姿勢調節装置を組み合わせた後は、姿勢調節の目的に適した姿勢調節装置によって、プロジェクター本体の投射姿勢を所望の状態に安定して調整することができる。なお、姿勢調節装置と位置決め装置とは、プロジェクター本体側に着脱可能なプロジェクター台座ユニットとして一体化することができる。この場合、プロジェクター本体からプロジェクター台座ユニットを分離することで天吊り等の固定設置が可能になり、プロジェクター本体にプロジェクター台座ユニットを接続することで投射姿勢を調節する可動設置が可能になる。
【０００８】
また、本発明の具体的な態様又は側面によれば、上記プロジェクターにおいて、姿勢調節装置は、プロジェクター本体の載置場所においてプロジェクター本体の傾斜姿勢を調節する。この場合、プロジェクター本体の傾斜姿勢の調整によって設置状況に応じた投射角度の調整が可能になる。
【０００９】
本発明の別の態様によれば、姿勢調節装置をプロジェクター本体に固定するための固定装置を備える。この場合、プロジェクター本体に姿勢調節装置を安定した状態で組み付けることができ、姿勢調節の作業性を高めることができる。
【００１０】
本発明のさらに別の態様によれば、固定装置のうちプロジェクター本体側の部分は、プロジェクター本体を固定的に設置する際にプロジェクター本体を支持する支持金具の取り付けに兼用される。この場合、プロジェクター本体側に残る固定装置の部分（後述する固定部材）を有効に活用して、姿勢調節装置や支持金具への取り付けに利用することができる。
【００１１】
本発明に係るプロジェクター本体は、光束を出射する光源と、前記光源から出射された光束を画像情報に応じて変調して画像を形成するライトバルブと、前記ライトバルブで形成された画像を投射する投射光学系とを有する本体光学装置と、前記本体光学装置を収納するとともに、前記本体光学装置によって投射を行う際の姿勢を調節するための姿勢調節装置を着脱可能に固定するための固定部材と、前記姿勢調節装置を前記本体光学装置に対して位置決めするための位置決め部材とを有するケース部とを備える。
【００１２】
上記プロジェクター本体によれば、固定設置の際には、それ自体で固定設置状態とすることができる。また、可動設置の際には、位置決め部材を利用してプロジェクター本体に対して姿勢調節装置を適正な状態で組み合わせるとともに固定部材を利用して姿勢調節装置を確実に固定できる。このように、姿勢調節装置を組み付けて固定した後は、姿勢調節装置によってプロジェクター本体の投射姿勢を所望の状態に安定して調整することができる。
【００１３】
本発明に係るプロジェクター台座ユニットは、上述のプロジェクター本体に着脱可能で、姿勢調節装置と位置決め装置を一体化してなる。
【図面の簡単な説明】
【００１４】
【図１】第１実施形態のプロジェクターの側面図である。
【図２】図１のプロジェクターのうちプロジェクター本体の光学系について説明する図である。
【図３】（Ａ）はプロジェクター本体の裏面図であり、（Ｂ）はプロジェクター台座ユニットの裏面図であり、（Ｃ）はプロジェクター台座ユニットの平面図である。
【図４】（Ａ）は、姿勢調節装置を説明する拡大平面図であり、（Ｂ）は、姿勢調節装置の拡大側面図である。
【図５】プロジェクター本体を固定設置する使用方法を説明する側面図である。
【図６】第２実施形態のプロジェクターの側面図である。
【発明を実施するための形態】
【００１５】
〔第１実施形態〕
以下、図１、２等を参照しつつ、本発明の第１実施形態に係るプロジェクター及びプロジェクター本体についてその構造や動作を説明する。
【００１６】
図１に示すように、本実施形態のプロジェクター１０は、プロジェクター本体１０ａと、プロジェクター台座ユニット１０ｂとを組み合わせたものである。プロジェクター本体１０ａは、これを天井等に固定する固定設置状態での使用を前提とするものであり、画像投射に際しての姿勢調節機能を有しない。プロジェクター本体１０ａは、光学エンジンユニットとも呼ばれる本体光学装置１１と、装置全体を覆うケース部１２とを備える。一方、プロジェクター台座ユニット１０ｂは、プロジェクター本体１０ａを机上等に配置する可動設置状態に際して取り付けられるものであり、プロジェクター本体１０ａに対する姿勢調節機能を有する。プロジェクター台座ユニット１０ｂは、プロジェクター本体１０ａに分離可能に固定される台座部１３と、台座部１３に部分的に内蔵される姿勢調節装置１４とを備える。
【００１７】
図２に示すように、本体光学装置１１は、照明装置２０、色分離導光光学系４０、光変調部５０、クロスダイクロイックプリズム６０、及び投射レンズ７０を備えて構成される。これらの照明装置２０、色分離導光光学系４０、光変調部５０、クロスダイクロイックプリズム６０、及び投射レンズ７０は、遮光性を有するライトガイド１１ａ中に略全体が収納され、ライトガイド１１ａ内において光学的にアライメントされた状態で固定されている。
【００１８】
まず、照明装置２０は、光源ランプユニット２１と、均一化光学系２３とを備える。このうち、光源ランプユニット２１は、光源として、ランプ部２１ａと、凹レンズ２１ｂとを備える。ランプ部２１ａは、例えば高圧水銀ランプ等であるランプ本体２２ａと、光源光を回収して前方に出射させる凹面鏡２２ｂとを備える。凹レンズ２１ｂは、ランプ部２１ａからの光源光をシステム光軸ＳＡすなわち照明光軸に略平行な光束にする役割を有するが、例えば凹面鏡２２ｂが放物面鏡である場合には、省略することもできる。光源ランプユニット２１の次段に配置される均一化光学系２３は、第１及び第２レンズアレイ２３ａ，２３ｂと、偏光変換部材２３ｆと、重畳レンズ２３ｈとを備える。第１及び第２レンズアレイ２３ａ，２３ｂは、それぞれマトリクス状に配置された複数の要素レンズからなる。このうち、第１レンズアレイ２３ａを構成する要素レンズによって、光源ランプユニット２１から出射された光束が複数の部分光束に分割される。また、第２レンズアレイ２３ｂを構成する要素レンズによって、第１レンズアレイ２３ａからの各部分光束は適当な発散角で出射される。偏光変換部材２３ｆは、ＰＢＳ等のプリズムアレイ等で構成され、レンズアレイ２３ｂから出射された光源光を特定方向の直線偏光のみに変換して次段光学系に供給する。重畳レンズ２３ｈは、偏光変換部材２３ｆを経た照明光を全体として適宜収束させることにより、光変調部５０に設けた各色のライトバルブ５０ａ，５０ｂ，５０ｃに対する重畳照明を可能にする。つまり、照明装置２０から出射された照明光は、後述するように、色分離導光光学系４０を介して各色のライトバルブ５０ａ，５０ｂ，５０ｃの表示可能領域を均一に照明する。
【００１９】
色分離導光光学系４０は、第１及び第２ダイクロイックミラー４１ａ，４１ｂと、反射ミラー４２ａ，４２ｂ，４２ｃと、３つのフィールドレンズ４３ａ，４３ｂ，４３ｃとを備え、照明装置２０から出射された照明光を赤（Ｒ）色、緑（Ｇ）色、及び青（Ｂ）色の３色に分離するとともに、各色光を次段のライトバルブ５０ａ，５０ｂ，５０ｃへ導く。より詳しく説明すると、まず、第１ダイクロイックミラー４１ａは、ＲＧＢの３色のうちＲ色の照明光ＬＲを反射しＧ色及びＢ色の照明光ＬＧ，ＬＢを透過させる。また、第２ダイクロイックミラー４１ｂは、ＧＢの２色のうちＧ色の照明光ＬＧを反射しＢ色の照明光ＬＢを透過させる。この色分離導光光学系４０において、第１ダイクロイックミラー４１ａで反射された照明光ＬＲは、ここで２分岐されたＲ色用光路をシステム光軸ＳＡに略沿って進むことにより、反射ミラー４２ａを経て入射角調節用のフィールドレンズ４３ａに入射する。また、第１ダイクロイックミラー４１ａを透過し、第２ダイクロイックミラー４１ｂで反射された照明光ＬＧは、ここで２分岐された一方のＧ色用光路をシステム光軸ＳＡに略沿って進むことにより、入射角調節用のフィールドレンズ４３ｂに入射する。さらに、第２ダイクロイックミラー４１ｂを通過した照明光ＬＢは、ここで２分岐された他方のＢ色用光路をシステム光軸ＳＡに略沿って進むことにより、リレーレンズ４４ａ，４４ｂ及び反射ミラー４２ｂ，４２ｃを経て入射角調節用のフィールドレンズ４３ｃに入射する。
【００２０】
光変調部５０において、各ライトバルブ５０ａ，５０ｂ，５０ｃは、非発光型の光変調装置として、入射した照明光の空間的強度分布を個別に変調する。これらのライトバルブ５０ａ，５０ｂ，５０ｃは、色分離導光光学系４０から出射された各色光に対応してそれぞれ照明される液晶パネル５１ａ，５１ｂ，５１ｃと、各液晶パネル５１ａ，５１ｂ，５１ｃの入射側にそれぞれ配置される入射側偏光フィルター５２ａ，５２ｂ，５２ｃと、各液晶パネル５１ａ，５１ｂ，５１ｃの出射側にそれぞれ配置される出射側偏光フィルター５３ａ，５３ｂ，５３ｃとを備える。各液晶パネル５１ａ，５１ｂ，５１ｃは、入射側偏光フィルター５２ａ，５２ｂ，５２ｃを経て入射した照明光ＬＲ，ＬＧ，ＬＢに対してその偏光方向の空間的分布を変化させる。つまり、各液晶パネル５１ａ，５１ｂ，５１ｃにそれぞれ入射した各色光ＬＲ，ＬＧ，ＬＢは、各液晶パネル５１ａ，５１ｂ，５１ｃに電気的信号として入力された駆動信号或いは制御信号に応じて、画素単位で偏光状態が調整され、出射側偏光フィルター５３ａ，５３ｂ，５３ｃの通過に伴って画素単位で空間的な強度変調が施される。
【００２１】
クロスダイクロイックプリズム６０は、カラー画像を合成するための光合成光学系であり、その内部には、Ｒ光を反射する誘電体多層膜である第１ダイクロイック膜６１と、Ｂ光を反射する誘電体多層膜である第２ダイクロイック膜６２とが、平面視Ｘ字状に配置されている。このクロスダイクロイックプリズム６０は、Ｒ色用光路上にあってシステム光軸ＳＡに垂直に配置されたライトバルブ５０ａからの赤色光ＬＲを第１ダイクロイック膜６１で反射して進行方向右側に出射させる。また、クロスダイクロイックプリズム６０は、Ｇ色用光路上にあってシステム光軸ＳＡに垂直に配置されたライトバルブ５０ｂからの緑色光ＬＧを両ダイクロイック膜６１，６２を介して直進・出射させる。さらに、クロスダイクロイックプリズム６０は、Ｂ色用光路上にあってシステム光軸ＳＡに垂直に配置されたライトバルブ５０ｃからの青色光ＬＢを第２ダイクロイック膜６２で反射して進行方向左側に出射させる。
【００２２】
投射レンズ７０は、投射光学系を具体化したものであり、クロスダイクロイックプリズム６０を経て形成された合成光による画像光を所望の拡大率で拡大して、後述するスクリーン上にカラーの静止画又は動画を投射する。なお、投射レンズ７０は、レンズシフトに対応する比較的広角のレンズであり、近接投射を可能にしている。
【００２３】
以上の本体光学装置１１を覆うケース部１２は、その下側板状部１２ａにプロジェクター台座ユニット１０ｂを着脱可能に固定するための固定部材１２ｃと、プロジェクター台座ユニット１０ｂを本体光学装置１１等に対して位置決めするための位置決め部材１２ｄとを有する。
【００２４】
図３（Ａ）に示すように、固定部材１２ｃは、下側板状部１２ａに埋め込まれたナットであり、ＸＺ面に沿って延びる下側板状部１２ａの４箇所に均等に分離して配置されている。固定部材１２ｃは、ケース部１２に対してプロジェクター台座ユニット１０ｂ等を固定するために利用される。また、位置決め部材１２ｄは、下側板状部１２ａの外周に形成された段差であり、段差側面１２ｅ、段差上面１２ｆ等によってケース部１２をプロジェクター台座ユニット１０ｂに固定する際の位置決めを行う。なお、図示の例では、位置決め部材１２ｄの段差を下側板状部１２ａの全周に形成しているが、位置決め部材１２ｄの配置や構造は適宜変更することができる。つまり、に凹凸等の嵌合構造を下側板状部１２ａ上の適所に設け、同様の嵌合構造をプロジェクター台座ユニット１０ｂの台座部１３上面に設けることで、プロジェクター台座ユニット１０ｂとプロジェクター台座ユニット１０ｂとの位置合わせが可能になる。
【００２５】
図１に戻って、プロジェクター台座ユニット１０ｂの台座部１３は、ケース部１２に密着する板状部１３ａと、板状部１３ａの下部に設けられて板状部１３ａを支持する枠部１３ｂとを備える。図３（Ｂ）は、台座部１３の裏面図であり、図３（Ｃ）は、台座部１３の平面図である。
【００２６】
台座部１３のうち、板状部１３ａは、固定部材１２ｃに対向して配置される開口１３ｄと、開口１３ｄに係止されたねじ状の固定具１３ｅとを複数箇所に備える。開口１３ｄ及び固定具１３ｅは、ケース部１２の固定部材１２ｃと協働して固定装置１６として機能する。つまり、固定具１３ｅのねじ部を固定部材１２ｃのナット孔にねじ込むことにより、固定具１３ｅを固定部材１２ｃに締め付けることができ、これらの間に挟まれた台座部１３延いてはプロジェクター台座ユニット１０ｂをケース部１２に固定することができる。なお、図３（Ｂ）、３（Ｃ）等に示すように、開口１３ｄ及び固定具１３ｅは、ＸＺ面に沿って延びる板状部１３ａの４箇所に均等に分離して形成されている。
【００２７】
図３（Ｃ）に示すように、板状部１３ａの上面には、プロジェクター台座ユニット１０ｂを本体光学装置１１等に対して位置決めするための位置決め部材１３ｇが設けられている。位置決め部材１３ｇは、板状部１３ａの外周に形成された段差であり、段差側面１３ｈ、段差下面１３ｉ等によってプロジェクター台座ユニット１０ｂをケース部１２に固定する際の位置決めを行う。つまり、位置決め部材１３ｇは、ケース部１２の位置決め部材１２ｄと協働して位置決め装置１７として機能する。この際、板状部１３ａに形成された凹の段差としての位置決め部材１３ｇと、ケース部１２に形成された凸の段差としての位置決め部材１２ｄとが嵌合する。
【００２８】
図３（Ｂ）に示すように、枠部１３ｂは、板状部１３ａの外周に枠状に形成されており、枠部１３ｂの前部１３ｋの左右には、一対の姿勢調節装置１４が組み込まれている。なお、枠部１３ｂの後部１３ｍの中央には、フット部１８が設けられている。一対の姿勢調節装置１４とフット部１８とにより、枠部１３ｂすなわち台座部１３の３点支持が可能になっている。つまり、一対の姿勢調節装置１４により、枠部１３ｂすなわちプロジェクター台座ユニット１０ｂの傾斜姿勢を３次元的に調節することができる。
【００２９】
図４（Ａ）は、姿勢調節装置１４の構造を概念的に説明する拡大平面断面図であり、図４（Ｂ）は、姿勢調節装置１４の拡大側断面図である。
【００３０】
姿勢調節装置１４は、伸縮脚部８１と、保持部８２と、リリースボタン８３とを備える。伸縮脚部８１は、保持部８２に保持されており、机、床等の上面である設置面ＰＳに支持される接地部８１ａと、接地部８１ａから枠部１３ｂの内部に向かって延びるボルト部８１ｂとを備える。保持部８２は、枠部１３ｂの底面に固定されており、ボルト部８１ｂと螺合する一対の分割ナット部８２ａと、両分割ナット部８２ａを鋏状に開閉可能に支持する支持部８２ｂとを備える。なお、一対の分割ナット部８２ａには、両分割ナット部８２ａを先端側が近接して閉じた状態となるように付勢するバネ等の部材（不図示）が設けられている。リリースボタン８３は、枠部１３ｂの側壁に形成された孔に軸支されており、分割ナット部８２ａの支持部８２ｂの外側に延びる延長部８２ｃの間に押し込み可能になっている。
【００３１】
姿勢調節装置１４の動作について説明すると、伸縮脚部８１の接地部８１ａを回転させることによって、ボルト部８１ｂが一対の分割ナット部８２ａ間に挟まれて回転し、Ｙ方向に上下移動する。つまり、伸縮脚部８１は回転によってＹ方向に微動する。これにより、伸縮脚部８１を枠部１３ｂ内すなわち台座部１３内に出し入れすることができ、接地部８１ａの突出量を調整できる。接地部８１ａの突出量を増加させた場合、台座部１３の前部１３ｋが設置面ＰＳから離れ、プロジェクター台座ユニット１０ｂが投射側である前方に向かって高くなる傾斜状態になる。一方、接地部８１ａの突出量を減少させた場合、台座部１３の前部１３ｋが設置面ＰＳに近接し、プロジェクター台座ユニット１０ｂが水平に近い状態になる。
【００３２】
なお、ユーザがリリースボタン８３を枠部１３ｂ内に押し込むと、保持部８２の一対の分割ナット部８２ａが離間して、伸縮脚部８１と保持部８２との螺合が解除される。これにより、ボルト部８１ｂがＹ方向に自在に移動して、伸縮脚部８１の接地部８１ａを枠部１３ｂ内外に大きく出し入れすることができる。ユーザがリリースボタン８３を離すと、伸縮脚部８１と保持部８２とが再度螺合するので、伸縮脚部８１が回転によってＹ方向に微動する状態に戻される。
【００３３】
図５は、プロジェクター１０のうちプロジェクター本体１０ａを独立させて、天吊り状態すなわち固定設置状態にした使用方法を説明する図である。この場合、天井面ＣＳから延びる支持金具１１３に対して、固定具１１３ｅを利用してプロジェクター本体１０ａを固定する。この際、固定具１１３ｅのねじ部を固定部材１２ｃのナット孔にねじ込むことによって固定が行われる。つまり、プロジェクター本体１０ａの固定部材１２ｃは、可動設置のためのプロジェクター台座ユニット１０ｂ（図１参照）の取り付けと、固定設置のための支持金具１１３の取り付けとに兼用される。
【００３４】
以上の説明から明らかなように、本実施形態のプロジェクター１０によれば、天吊り等の固定設置の際には、プロジェクター本体１０ａから姿勢調節装置１４を内蔵したプロジェクター台座ユニット１０ｂを分離するので、プロジェクター１０のサイズや重量を低減できる。また、机、床等の上に載置する可動設置の際には、位置決め装置１７を利用することにより、プロジェクター本体１０ａに対してプロジェクター台座ユニット１０ｂすなわち姿勢調節装置１４を適正な状態で組み合わせることができ、姿勢調節装置１４を組み合わせた後は、姿勢調節装置１４によってプロジェクター本体１０ａの投射姿勢を所望の状態に安定して調整することができる。
【００３５】
なお、プロジェクター本体１０ａについては、上述のように、固定設置の際には、それ自体で固定設置状態とすることができ、可動設置の際には、位置決め装置１７や固定装置１６又はそれらの一部を利用してプロジェクター台座ユニット１０ｂを確実に固定できる。このように、プロジェクター台座ユニット１０ｂを組み付けて固定した後は、姿勢調節装置１４によってプロジェクター本体１０ａの投射姿勢を調整することができる。
【００３６】
〔第２実施形態〕
以下、本発明に係る第２実施形態のプロジェクター等の構造や動作について説明する。なお、本実施形態のプロジェクターは、第１実施形態のプロジェクター１０を変形したものであり、特に説明しない部分は第１実施形態と同様であるものとする。
【００３７】
図５に示すように、本プロジェクター１０の場合、プロジェクター台座ユニット２１０ｂの枠部２１３ｂが前後方向に高さに関する寸法差を有しており、板状部１３ａが当初から傾斜して配置される。本実施形態の場合、ケース部１２すなわちプロジェクター本体１０ａを上向きに傾斜させて配置させやすくなっている。
【００３８】
本実施形態のプロジェクター台座ユニット２１０ｂは、第１実施形態のプロジェクター台座ユニット１０ｂに対して交換可能になっており、複数種類のプロジェクター台座ユニット１０ｂ，２１０ｂを状況に応じて交換して使用することができるようになっている。
【００３９】
以上実施形態に即して本発明を説明したが、本発明は、上記実施形態に限定されるものではない。
【００４０】
例えば、上記実施形態では、伸縮型の２つの姿勢調節装置１４によって、プロジェクター台座ユニット１０ｂ延いてはプロジェクター本体１０ａの姿勢を調節しているが、これに限らず、様々な姿勢調節装置をプロジェクター台座ユニット１０ｂに組み込むことができる。これにより、プロジェクター本体１０ａに組み込まれる本体光学装置１１が例えば近接短焦点投射型で位置調整が容易でない場合であっても、このような近接短焦点投射型のプロジェクター本体１０ａに合わせた姿勢調節装置をプロジェクター台座ユニット１０ｂに組み込むことができる。なお、プロジェクター台座ユニット１０ｂに組み込む姿勢調節装置は、上記実施形態のようにプロジェクター本体１０ａの傾斜姿勢を調整するものに限らず、プロジェクター本体１０ａを例えばＸＺ面内で２次元的に変位させるものとでき、或いはターンテーブルのようにプロジェクター本体１０ａをＹ軸のまわりに回転させるものとできる。
【００４１】
また、固定装置１６は、ねじ部やナット孔に限らず、分離可能で様々な機能の締結具を用いることができる。また、プロジェクター本体１０ａ側の固定部材１２ｃは、可動設置のためのプロジェクター台座ユニット１０ｂの取り付けと、固定設置のための支持金具１１３の取り付けとに兼用されているが、これらを独立させることもできる。つまり、プロジェクター本体１０ａ側の固定部材１２ｃは、プロジェクター台座ユニット１０ｂのために設けた専用の部分とすることができる。さらに、プロジェクター本体１０ａ側の固定部材１２ｃを省略することもできる。この場合、プロジェクター台座ユニット１０ｂ上にプロジェクター本体１０ａをアライメントして載置するだけとなる。
【００４２】
また、本プロジェクター１０を構成するプロジェクター本体１０ａは、光変調部５０を備える多様な装置とすることができる。つまり、上記実施形態では、本体光学装置１１が、照明装置２０、色分離導光光学系４０、光変調部５０、クロスダイクロイックプリズム６０、及び投射レンズ７０を備えるものであるとして具体的に説明したが、本発明はこれに限られるものではない。例えば、上記実施形態では、光変調部５０において、透過型のライトバルブ５０ａ，５０ｂ，５０ｃを用いているが、本発明は、反射型のライトバルブを組み込んだプロジェクターにも適用することができる。ここで、「反射型」とは、ライトバルブが光を反射するタイプであることを意味している。
【００４３】
また、上記実施形態では、光変調部５０を３個のライトバルブ５０ａ，５０ｂ，５０ｃで構成しているが、本発明は、１個以上の任意のライトバルブを組み込んだプロジェクターにも適用することができる。
【００４４】
また、上記実施形態の本体光学装置１１では、色分離導光光学系４０やライトバルブ５０ａ，５０ｂ，５０ｃ等を用いて各色の光変調を行っているが、これらに代えて、例えば照明装置２０によって照明されるカラーホイールと、マイクロミラーの画素によって構成されカラーホイールの透過光が照射されるデバイス（ライトバルブ）とを組み合わせたものとを用いることによって、カラーの光変調及び合成を行うこともできる。
【符号の説明】
【００４５】
１０…プロジェクター、  １０ａ…プロジェクター本体、  １０ｂ…プロジェクター台座ユニット、  １１…本体光学装置、  １１ａ…ライトガイド、  １２…ケース部、  １２ａ…下側板状部、  １２ｃ…固定部材、  １２ｄ…位置決め部材、  １３…台座部、  １３ａ…板状部、  １３ｂ…枠部、  １３ｄ…開口、  １３ｅ…固定具、  １３ｇ…位置決め部材、  １３ｋ…前部、  １３ｍ…後部、  １４…姿勢調節装置、  １６…固定装置、  １７…位置決め装置、  １８…フット部、  ２０…照明装置、  ２１…光源ランプユニット、  ２１ａ…ランプ部、  ２１ｂ…凹レンズ、  ２３…均一化光学系、  ２３ａ，２３ｂ…レンズアレイ、  ２３ｆ…偏光変換部材、  ２３ｈ…重畳レンズ、  ４０…色分離導光光学系、  ４１ａ，４１ｂ…ダイクロイックミラー、  ５０…光変調部、  ５０ａ，５０ｂ，５０ｃ…ライトバルブ、  ５１ａ，５１ｂ，５１ｃ…液晶パネル、  ６０…クロスダイクロイックプリズム、  ７０…投射レンズ、  ８１…伸縮脚部、  ８１ａ…接地部、  ８１ｂ…ボルト部、  ８２…保持部、  ８２ｂ…支持部、  ８３…リリースボタン、  １１３…支持金具、  １１３ｅ…固定具、  ＣＳ…天井面、  ＬＲ，ＬＧ，ＬＢ…照明光、  ＰＳ…設置面、  ＳＡ…システム光軸
【図１】
2010186119.tif 000003
【図２】
2010186119.tif 000004
【図３】
2010186119.tif 000005
【図４】
2010186119.tif 000006
【図５】
2010186119.tif 000007
【図６】
2010186119.tif 000008